(57)【要約】【課題】立体感を高めて高級感ある装飾板とする。【解決手段】下面に反射面７を有する透明基板２上に、インキ層４を介在させて箔印刷層３を形成し、その箔印刷層３によって文字、模様等の表示１１を設けた装飾板１である。インキ層４の色は箔印刷層３の色と異なるものとなっており、インキ層４の影１２が反射面７に映り、その反射面７に映る影１２と箔印刷層３による表示１１の色彩が異なるため、装飾板１の表示１１が背景から浮き上がって見えて、立体感あふれる装飾板の外観を呈して、高級感を醸し出すことができる。また、装飾板１を眺める角度に応じて、その二重に見えるインキ層４の影１２と箔印刷層３による表示１１との重なり度合いが変化するので、装飾板１を見る方向によって、その外観が変化し得るという効果もある。【選択図】図１
0003104865.tif 000002
【実用新案登録請求の範囲】
【請求項１】
透明基板２の上面６に箔印刷層３による模様を描いた装飾板１において、前記透明基板２の下面にその反射面７を形成し、前記箔印刷層３は、その表面の色と裏面の色とを異なるものとしたことを特徴とする装飾板。
【請求項２】
透明基板２の上面６に箔印刷層３による模様を描いた装飾板１において、前記透明基板２の下面にその反射面７を形成し、前記透明基板２の上面６と箔印刷層３との間にインキ層４を介在させ、そのインキ層４の色を前記箔印刷層３の色と異なるものとしたことを特徴とする装飾板。
【請求項３】
前記透明基板２は、断面三角形を成すことを特徴とする請求項２に記載の装飾板。
【請求項４】
前記透明基板２は、ガラス又はポリエチレンテレフタレート樹脂からなり、前記インキ層４は、エポキシ系インキからなることを特徴とする請求項２に記載の装飾板。
【請求項５】
前記透明基板２はガラス又はポリエチレンテレフタレート樹脂からなり、前記インキ層４は、エポキシ系インキからなることを特徴とする請求項３に記載の装飾板。
【請求項６】
透明基板２の上面６に箔印刷層３による模様を描いた装飾板２０において、前記透明基板２の上面６と箔印刷層３との間に透明のインキ層４を介在させ、前記箔印刷層３にはホログラム箔を用いたことを特徴とする装飾板。
【請求項７】
前記透明基板２はガラス又はポリエチレンテレフタレート樹脂からなり、前記インキ層４は、エポキシ系インキからなることを特徴とする請求項６に記載の装飾板。
【請求項８】
前記装飾板２０は、電子機器Ｐの表示画面２１上に取付可能としたことを特徴とする請求項６に記載の装飾板。
【請求項９】
前記装飾板２０は、電子機器Ｐの表示画面２１上に取付可能としたことを特徴とする請求項７に記載の装飾板。
【請求項１０】
前記装飾板２０は、特定の方向への光を強調する偏光板であることを特徴とする請求項７に記載の装飾板。
【請求項１１】
前記装飾板２０は、正面への光を強調する偏光板であることを特徴とする請求項８に記載の装飾板。
【請求項１２】
前記装飾板２０は、正面への光を強調する偏光板であることを特徴とする請求項９に記載の装飾板。
【考案の詳細な説明】
【技術分野】
【０００１】
この考案は、樹脂やガラス等の透明基板上に箔印刷を施して製作される各種装飾板に関するものである。
【背景技術】
【０００２】
一般に、透明な材質からなる基板上に、文字や図形、模様を箔印刷して製作されたいわゆる装飾板が、各種の用途に用いられている。その態様として、例えば、本考案の実施形態の説明図である図２に示すように、鏡としての機能を有する装飾板がある。その構成は、一般的な鏡と同様、樹脂やガラスからなる透明基板下面に光を反射する反射面を設け、基板上面には、その鏡の機能を阻害しない領域に、適宜の文字、図形、模様を印刷してデザイン性を高めたものである。
【０００３】
また、別な態様として、同じく図３に示すように、商品ディスプレイ用の表示プレート、ＰＯＰパネル、あるいは一般的な銘板等として使用される表示パネル態様の装飾板が挙げられる。この表示パネル態様の装飾板においては、透明基板下面に反射面を設けて、反射光により、基板表面の文字、模様等が背景から浮かび上がって見えるようにしたものもある。
【考案の開示】
【考案が解決しようとする課題】
【０００４】
上記の装飾板は、文字や模様が基板表面に平面的に描かれているに過ぎないため、立体感に乏しいといえる。その点、基板下面に反射面を設けた場合には、反射光の効果により文字が浮かび上がって見えるので、ある程度立体感ある外観が期待できる。しかし、その浮かび上がり効果をさらに高めて、立体感、高級感を向上させたいという要請がある。
【０００５】
そこで、この考案は、箔印刷を施した装飾板の立体感をさらに高めて、高級感ある装飾板とすることを課題とする。
【課題を解決するための手段】
【０００６】
上記の課題を解決するために、この考案は、下面に反射面を有する透明基板上に箔印刷による模様を設けた装飾板において、その箔印刷層の表裏を別の色にしたのである。このようにすれば、箔印刷層の裏面の色は前記反射面に影として映り、装飾板を眺める角度によって、その反射面に映った影と箔印刷層とがややずれて映り、二重に見えるようになる。このとき、その影の色は、箔印刷層の表面の色と異なるので、表面の模様が浮き上がって見えて装飾板に立体感を出すことができる。ここで、請求項及び、以下の説明に示す模様とは、一般的な模様のほかに、文字、図形、記号などを含めて指すものである。
【０００７】
箔印刷層の表裏を別の色とする手段として、下面に反射面を有する透明基板上にインキ層を介在させて箔印刷を施し、そのインキ層と箔印刷層の色を異なるものとした構成を採用し得る。このようにすれば、インクの色を自由に使い分けることにより、箔印刷層と透明基板上面との間に介在するインキ層の色を様々なものに変えることができる。このインキ層の影が反射面に映り、その反射面に映る影と箔印刷層の色彩が異なるため、より立体感あふれる装飾板の外観を呈して、高級感を醸し出すことができる。また、装飾板を眺める角度によって、その二重に見えるインキ層の影と箔印刷層の重なり度合いが変化するので、その立体感を呈する装飾板の外観が変化し得るという効果もある。
【０００８】
さらに、前記透明基板を断面三角型とすれば、その反射面に映ったインキ層に対して、基板上面の箔印刷層がやや起きあがったように二重に見えるので、装飾板の呈する立体感、高級感がさらに強調される。
【０００９】
なお、インキ層にエポキシ系インキを用いれば、一般的に箔印刷が難しいとされているガラスやポリエチレンテレフタレート（ＰＥＴ）素材に対しても、概ね１５０℃以下の比較的低温状態にある加熱弾性体で箔を圧着すれば、剥がれにくい確実な箔印刷が可能である。この手法によれば、透明基板上に安定した箔印刷層、及びインキ層を設けることができる。
【００１０】
また、装飾板の立体感を高める他の手段として、前述のような反射面を有さない透明基板上に、透明のインキ層を介在させて箔印刷を施し、その箔印刷層にはホログラム箔を用いたのである。
【００１１】
このようにすれば、その装飾板に背後からの光を受けた際には、その光が透明なインキ層、及びホログラム箔による箔印刷層を通過して、箔印刷により描かれた模様が見えなくなるか、あるいは目立たなくなるので、その装飾板を通して光を視認することができる。また、背後からの光を受けない際には、ホログラム箔それ自体が正面からの光を反射することにより美しく輝いて立体感、高級感を呈することができる。このとき、その透明なインキ層の色を様々なものに変更することができるので、色の異なるインキを採用してデザインのバリエーションを高めることもできる。
【００１２】
なお、インキ層にエポキシ系インキを、透明基板にガラスやポリエチレンテレフタレート（ＰＥＴ）素材を用いれば、剥がれにくい安定した箔印刷層及びインキ層を簡単に設けることができるという効果は同様である。
【００１３】
上記の構成において、例えば、その装飾板を、携帯電話など電子機器の表示画面上に取付可能とすれば、その画面表示が映っている状態において、装飾板は、背後からその画面の発する光を受けるので、ホログラム箔による模様が見えなくなり、あるいは目立たなくなるので、その装飾板を通過する透過光により画面表示をはっきりと視認することができる。また、画面表示が消えている状態では、そのホログラム箔の模様が反射光により輝いて見えて、その電子機器の装飾性を高めることができる。
【００１４】
また、前記透明基板に、特定の方向への光を他の方向への光よりも多く透過する偏光板を採用してもよい。このようにすれば、偏光板の効果により、装飾板を特定の方向から眺めた場合にのみ、背後からの光をよく視認できるようになる。このため、その装飾板を前記特定の方向以外の方向から眺めれば、装飾板が背後から光を受けている際にも、その背後からの光を遮って、ホログラム箔の反射光による光沢を楽しむことができる。例えば、電子機器の画面に取り付ける装飾板にこの偏光板を採用する場合には、画面の表示を視認する際に必要な正面への光のみを多く透過する偏光板を用いればよい。
【考案の効果】
【００１５】
この発明は、以上のようにしたので、立体感を高めて高級感ある装飾板とすることができる。
【考案を実施するための最良の形態】
【００１６】
第一の実施形態を、図１及び図２に示す。この実施形態の装飾板は、ポリエチレンテレフタレート（ＰＥＴ）樹脂製の透明基板２の下面に、上方に向かって鏡面として機能する反射面７を形成し、その透明基板２の上面６にインキ層４を介在させて箔印刷層３を設けた鏡態様の装飾板１である。
【００１７】
反射面７は、透明基板２の下面に蒸着等によって鏡層５が形成され、その鏡層５上面を反射面７として透明基板２の全面に設けられる。インキ層４及び箔印刷層３は、図１に示すように、平面視同一の位置に重ねて設けられて設けられ、そのインキ層４及び箔印刷層３の位置は、図２に示すように、鏡の投影機能を阻害しない範囲である装飾板１上面の周縁領域に、表示１１として適宜の模様が描かれる。そのインキ層４には、エポキシ系インキを使用しており、その色は、前記箔印刷層３の色と異なるものとなっている。
【００１８】
この装飾板１を、特に正面以外の方向から見た際には、図２に示すように、インキ層４が前記反射面７に影１２として映り、その反射面７に映った影１２と箔印刷層３による表示１１とがややずれて映り、図示するように、二重に見えるようになる。このとき、その影１２の色は、箔印刷層３の表面の色と異なるので、表示１１の模様が背景である反射面７に対してより浮き上がって見えて、装飾板１に立体感を出すことができる。
【００１９】
なお、この装飾板１を製造する際には、まず、反射面７付きの透明基板２の上面６に、求める表示１１の形態に合わせてインキを塗布してインキ層４を形成し、そのインキを乾燥させる。乾燥後、その透明基板２の上面６全体に印刷用の箔を被せ、その上方から所定の温度に加熱した弾性体で加圧する。この加圧により、インキ層４を設けた部分にのみ箔印刷が施されて、インキ層４及び箔印刷層３とを、図１に示す態様で同一位置、同一範囲に形成することができる。また、その加熱温度は、透明基板２、インキ層４、及び印刷用の箔の素材に応じて、適宜の最適温度とすることが望ましい。
【００２０】
第二の実施形態として、図３に示すように、前記透明基板２を断面三角形とした構成を採用し得る。この構成によれば、透明基板２下面の反射面７と透明基板２の上面６とが、図示するように僅かに角度をもって形成されているので、その反射面７に映ったインキ層４の影１２に対して、箔印刷層３による表示１１がやや起きあがったように二重に見える。このため、装飾板１０の呈する立体感、高級感がさらに強調される。
【００２１】
第三の実施形態として、図４及び図５に示すように、形態電話Ｐの表示画面２１上に貼り付けて使用される装飾板２０がある。その構成は、ポリエチレンテレフタレート（ＰＥＴ）樹脂製の透明基板２の上面６と箔印刷層３との間に透明のインキ層４を介在させ、前記箔印刷層３にはホログラム箔を用いたものである。図１に示す鏡層５は設けられておらず、装飾板２０の背面からの光は、その透明基板２、透明のインキ層４、及び箔印刷層３を透過するようになっている。このホログラム箔、及びインキは、画面の視認性をよくするため、濁りが少なく透明度の高いものが望ましい。
【００２２】
前記透明基板２の下面には、透明の粘着剤が塗布されており、その粘着剤を介して装飾板２０を電子機器Ｐの表示画面２１上に貼着して取付可能とし、不要になった場合には取り外すことも可能となっている。装飾板２０を画面２１から取り外した際には、その粘着材が画面に付着して残らないものが好ましく、また、繰り返し貼着可能な粘着剤を採用すると便利である。
【００２３】
その透明基板２は、正面への光を多く透過して、それ以外の方向への光をあまり透過させない偏光板を使用している。このため、装飾板２０の上面を、正面以外の方向から眺めた場合には、背面からの光が見えにくくなるように構成されている。
【００２４】
図５に示すように、この装飾板２０を貼着した表示画面２１を正面から見た状態において、画面２１が点灯して表示されると、装飾板２０は背後から光を受けて、その光が透明基板２、透明なインキ層４、及びホログラム箔による箔印刷層３を通過する。このとき、箔印刷より描かれた模様の表示１１が、背後からの光線に照らされて輝いた状態で立体的に視認することができる。また、画面が消灯すると、背後からの光を受けないので、ホログラム箔それ自体が正面からの光を反射することにより美しく輝いて立体感、高級感を呈することができる。
【００２５】
なお、この装飾板２０の製造方法は、透明基板２が鏡層５を有しないこと以外は、前記装飾板１と同様であり、また、透明なインキ層４を形成するために用いられるインキは、そのインキが硬化した際に光を透過し得る程度の透明である限りにおいて、自由な色を有するものを使用してもよい。光を透過し得る程度とは、画面の表示を視認できる程度をいう。
【００２６】
この第一乃至第三の実施形態では、透明基板２にＰＥＴ素材を使用したが、それぞれ他の樹脂製素材やガラスを使用してもよい。また、第三の実施形態による装飾板２０の画面２１への取付方法は、この実施形態のように粘着剤を使用してもよいし、ビス等を用いて固定してもよい。さらに、この装飾板２０は、携帯電話Ｐ以外の他の電子機器の表示画面２１に貼り付けて使用してもよく、その表示画面２１を構成する透明な板面自体を、この装飾板２０で構成してもよい。
【図面の簡単な説明】
【００２７】
【図１】一実施形態の要部断面図
【図２】同実施形態の斜視図
【図３】他の実施形態の斜視図
【図４】他の実施形態の正面図
【図５】図４に示す装飾板の使用状態を示す説明図
【符号の説明】
【００２８】
１，１０，２０  装飾板
２  透明基板
３  箔印刷層
４  インキ層
５  鏡層
６  基板上面
７  反射面
１１  表示
１２  影
２１  表示画面
【図１】
0003104865.tif 000003
【図２】
0003104865.tif 000004
【図３】
0003104865.tif 000005
【図４】
0003104865.tif 000006
【図５】
0003104865.tif 000007